(57)【要約】【課題】コネクタの半嵌合状態を抑制し、スライド部材が外力により移動し難く、嵌合が外れ難くいコネクタ部材及びコネクタを提供する。【解決手段】係止突起３８が設けられた第１ハウジング２０を有する第１コネクタ部材１２と、係止部１９２を有するスライド部材１６２と、第２ハウジング１０２と、を有する第２コネクタ部材５８と、が嵌合されるコネクタ１０において、第２ハウジング１０２とスライド部材１６２の間には、弾性部材２２８が設けられ、スライド部材１６２には、可動片１８０が設けられ、可動片１８０は、被押圧部１８２と、係止部１９２と、を有し、第１ハウジング２０が移動されることにより、被押圧部１８２が係止突起３８に押圧され、スライド部材１６２が嵌合方向に移動された後、可動片１８０が回転され、被押圧部１８２が係止突起３８から離れ、弾性力によりスライド部材１６２が移動され、係止部１９２が係止突起３８に係止される。【選択図】図１６
2018022664.tif 000002
【特許請求の範囲】
【請求項１】
相手側コネクタ部材の外周部に設けられた係止突起に係止される係止部を有するスライド部材と、前記スライド部材の内側に設けられたハウジングと、を有するコネクタ部材において、
前記スライド部材は、前記ハウジングに対して、嵌合方向に反復移動可能とされ、
前記ハウジングと前記スライド部材の間には、少なくとも１つの弾性部材が設けられ、
前記スライド部材には、軸部により繋がれ、前記軸部を軸に前記スライド部材の移動方向に対して直交する方向に回転可能とされた可動片が設けられており、
前記可動片は、前記係止突起の嵌合方向側に押圧される被押圧部と、前記係止突起の嵌合方向側とは反対側に係止される前記係止部と、を有し、
前記コネクタ部材が前記相手方コネクタ部材と嵌合される場合において、
前記相手側コネクタ部材が嵌合方向へ移動されることにより、前記可動片の前記被押圧部が前記係止突起により押圧されることで、前記スライド部材が前記弾性部材を圧縮しながら嵌合方向に移動され、前記コネクタ部材と前記相手側コネクタ部材が嵌合状態となった後、
前記可動片が前記軸部を軸に回転されることで、前記被押圧部が前記係止突起から離れ、前記弾性部材の弾性力により前記スライド部材が移動方向と反対方向に移動されると共に、前記可動片の前記係止部が前記係止突起に係止される構成となっていることを特徴とするコネクタ部材。
【請求項２】
外周部に係止突起が設けられた第１ハウジングを有する第１コネクタ部材と、
前記係止突起に係止される係止部を有するスライド部材と、前記スライド部材の内側に設けられた第２ハウジングと、を有する第２コネクタ部材と、が嵌合されるコネクタにおいて、
前記スライド部材は、前記第２ハウジングに対して、嵌合方向に反復移動可能とされ、
前記第２ハウジングと前記スライド部材の間には、少なくとも１つの弾性部材が設けられ、
前記スライド部材には、軸部により繋がれ、前記軸部を軸に前記スライド部材の移動方向に対して直交する方向に回転可能とされた可動片が設けられており、
前記可動片は、前記係止突起の嵌合方向側に押圧される被押圧部と、前記係止突起の嵌合方向側とは反対側に係止される前記係止部と、を有し、
前記第１コネクタ部材と前記第２コネクタ部材が嵌合される場合において、
前記第１ハウジングが嵌合方向へ移動されることにより、前記可動片の前記被押圧部が前記第１ハウジングの前記係止突起により押圧されることで、前記スライド部材が前記弾性部材を圧縮しながら嵌合方向に移動され、前記第１コネクタ部材と前記第２コネクタ部材が嵌合状態となった後、
前記可動片が前記軸部を軸に回転されることで、前記被押圧部が前記係止突起から離れ、前記弾性部材の弾性力により前記スライド部材が移動方向と反対方向に移動されると共に、前記可動片の前記係止部が前記係止突起に係止される構成となっていることを特徴とするコネクタ。
【請求項３】
前記第２ハウジングの前記第１ハウジングが嵌合される前記可動片の前記被押圧部の前記軸部を挟んだ反対側を押圧し、前記軸部を軸に回転させる押圧突起が形成されており、
移動された前記スライド部材の前記可動片が、前記押圧突起に押圧されることで回転される構成とされていることを特徴とする請求項２に記載のコネクタ。
【請求項４】
前記第２ハウジングの前記第１ハウジングと嵌合される側とは反対側には、前記押圧突起により押圧された前記可動片が嵌入される嵌入部が形成されていることを特徴とする請求項３に記載のコネクタ。
【請求項５】
前記可動片の前記軸部を挟んで前記被押圧部とは反対側には、操作部が形成されており、
前記操作部を押圧して前記可動片を回転させることで、前記第２ハウジングの前記係止突起と前記可動片の係止部の係止が解除されることを特徴とする請求項２〜４のいずれかに記載のコネクタ。
【請求項６】
前記スライド部材は、前記第２ハウジングを囲う筒状に形成されており、
前記可動片は、前記スライド部材の前記第２ハウジングを囲む面に設けられており、
前記可動片が設けられた前記スライド部材の面には、前記可動片を覆う覆い部が設けられていることを特徴とする請求項２〜５のいずれかに記載のコネクタ。
【発明の詳細な説明】
【技術分野】
【０００１】
本発明は、半嵌合状態を防止することができるコネクタ部材及びコネクタに関するものである。
【背景技術】
【０００２】
半嵌合状態を防止することができるコネクタ嵌合構造の発明が下記特許文献１に開示されている。下記特許文献１に開示されたコネクタ嵌合構造は、相互に嵌合接続される一対の雌・雄型コネクタであり、一方のコネクタのハウジング内に収容した弾性部材の反発力で前記コネクタ相互の中途嵌合が防止されると共に、前記ハウジング内で摺動可能に支持されると共に相手コネクタとの嵌合時に前記弾性部材と協動して前記ハウジング上に設けられた可撓部材を撓ませて相手ハウジングに係止させるスライドロック部材が設けられているコネクタ嵌合構造において、前記スライドロック部材を収容する収容部が端子収容室を備えたコネクタハウジングとは別の専用ハウジングによって形成され、前記収容部内の前記可撓部材の両側に側方空間を備え、前記スライドロック部材に設けられた可撓アームの両側下端に設けられた当接突起が前記側方空間内に配置されることを特徴としている。
【先行技術文献】
【特許文献】
【０００３】
【特許文献１】特開平１００５０４０８号公報
【発明の概要】
【発明が解決しようとする課題】
【０００４】
上記特許文献１に開示されたコネクタ嵌合構造では、コネクタ同士のロックは、嵌合後、弾性部材の反発力を有するスライダーの補助によって、ロックされているため、スライダーは外力により移動しやすくなり、また、嵌合が解除されるおそれがある。
【０００５】
そこで、本発明は、コネクタの半嵌合状態を抑制すると共に、スライド部材が外力により移動し難く、また、嵌合が外れ難くいコネクタ部材及びコネクタを提供することにある。
【課題を解決するための手段】
【０００６】
上記目的を達成するために、第１の態様のコネクタ部材は、相手側コネクタ部材の外周部に設けられた係止突起に係止される係止部を有するスライド部材と、前記スライド部材の内側に設けられたハウジングと、を有するコネクタ部材において、
前記スライド部材は、前記ハウジングに対して、嵌合方向に反復移動可能とされ、
前記ハウジングと前記スライド部材の間には、少なくとも１つの弾性部材が設けられ、
前記スライド部材には、軸部により繋がれ、前記軸部を軸に前記スライド部材の移動方向に対して直交する方向に回転可能とされた可動片が設けられており、
前記可動片は、前記係止突起の嵌合方向側に押圧される被押圧部と、前記係止突起の嵌合方向側とは反対側に係止される前記係止部と、を有し、
前記コネクタ部材が前記相手方コネクタ部材と嵌合される場合において、
前記相手側コネクタ部材が嵌合方向へ移動されることにより、前記可動片の前記被押圧部が前記係止突起により押圧されることで、前記スライド部材が前記弾性部材を圧縮しながら嵌合方向に移動され、前記コネクタ部材と前記相手側コネクタ部材が嵌合状態となった後、
前記可動片が前記軸部を軸に回転されることで、前記被押圧部が前記係止突起から離れ、前記弾性部材の弾性力により前記スライド部材が移動方向と反対方向に移動されると共に、前記可動片の前記係止部が前記係止突起に係止される構成となっていることを特徴とする。
【０００７】
第２の態様のコネクタは、外周部に係止突起が設けられた第１ハウジングを有する第１コネクタ部材と、
前記係止突起に係止される係止部を有するスライド部材と、前記スライド部材の内側に設けられた第２ハウジングと、を有する第２コネクタ部材と、が嵌合されるコネクタにおいて、
前記スライド部材は、前記第２ハウジングに対して、嵌合方向に反復移動可能とされ、
前記第２ハウジングと前記スライド部材の間には、少なくとも１つの弾性部材が設けられ、
前記スライド部材には、軸部により繋がれ、前記軸部を軸に前記スライド部材の移動方向に対して直交する方向に回転可能とされた可動片が設けられており、
前記可動片は、前記係止突起の嵌合方向側に押圧される被押圧部と、前記係止突起の嵌合方向側とは反対側に係止される前記係止部と、を有し、
前記第１コネクタ部材と前記第２コネクタ部材が嵌合される場合において、
前記第１ハウジングが嵌合方向へ移動されることにより、前記可動片の前記被押圧部が前記第１ハウジングの前記係止突起により押圧されることで、前記スライド部材が前記弾性部材を圧縮しながら嵌合方向に移動され、前記第１コネクタ部材と前記第２コネクタ部材が嵌合状態となった後、
前記可動片が前記軸部を軸に回転されることで、前記被押圧部が前記係止突起から離れ、前記弾性部材の弾性力により前記スライド部材が移動方向と反対方向に移動されると共に、前記可動片の前記係止部が前記係止突起に係止される構成となっていることを特徴とする。
【０００８】
また、第３の態様のコネクタは、第２の態様のコネクタにおいて、前記第２ハウジングの前記第１ハウジングが嵌合される前記可動片の前記被押圧部の前記軸部を挟んだ反対側を押圧し、前記軸部を軸に回転させる押圧突起が形成されており、
移動された前記スライド部材の前記可動片が、前記押圧突起に押圧されることで回転される構成とされていることを特徴とする。
【０００９】
また、第４の態様の雄型コネクタは、第３の態様のコネクタにおいて、前記第２ハウジングの前記第１ハウジングと嵌合される側とは反対側には、前記押圧突起により押圧された前記可動片が嵌入される嵌入部が形成されていることを特徴とする。
【００１０】
また、第５の態様のコネクタは、第２〜第４のいずれかの態様のコネクタにおいて、前記可動片の前記軸部を挟んで前記被押圧部とは反対側には、操作部が形成されており、
前記操作部を押圧して前記可動片を回転させることで、前記第２ハウジングの前記係止突起と前記可動片の係止部の係止が解除されることを特徴とする。
【００１１】
第６の態様のコネクタは、第２〜第５のいずれかの態様のコネクタにおいて、前記スライド部材は、前記第２ハウジングを囲う筒状に形成されており、
前記可動片は、前記スライド部材の前記第２ハウジングを囲む面に設けられており、
前記可動片が設けられた前記スライド部材の面には、前記可動片を覆う覆い部が設けられていることを特徴とする。
【発明の効果】
【００１２】
第１の態様のコネクタ部材によれば、相手側コネクタ部材と嵌合されない場合は、係止突起とスライド部材の係止部が係止されないため、弾性部材の弾性力により第１コネクタ部材が押し戻されるようになり、半嵌合状態を抑制することができる。また、係止突起とスライド部材の係止部の係止は機械的にされており、弾性部材の弾性力は働いていないので、スライド部材が外力により移動し難く、また、嵌合が外れ難くなる。
【００１３】
第２の態様のコネクタによれば、第１コネクタ部材と第２コネクタ部材が嵌合されない場合は、第１ハウジングの係止突起とスライド部材の係止部が係止されないため、弾性部材の弾性力により第１コネクタ部材が押し戻されるようになり、半嵌合状態を抑制することができる。また、第１ハウジングの係止突起とスライド部材の係止部の係止は機械的にされており、弾性部材の弾性力は働いていないので、スライド部材が外力により移動し難く、また、嵌合が外れ難くなる。
【００１４】
また、第３の態様のコネクタによれば、第２コネクタ部材を嵌合位置まで移動させると、スライド部材に第２コネクタ部材が接触され、可動片が回転されることで係止を簡単に行うことができるようになる。
【００１５】
また、第４の態様のコネクタによれば、スライド部材の移動に応じて回転された可動片を嵌入部に誘導することで、可動片の回転を円滑に行うことができる。
【００１６】
また、第５の態様のコネクタによれば、操作部を押圧することで係止が解除されるので、容易に第１コネクタ部材と第２コネクタ部材を取り外すことができる。
【００１７】
また、第６の態様のコネクタによれば、可動片が設けられたスライド部材の面に覆い部が形成されることで、可動片が保護されると共に、スライド部材の可動片が形成された面の強度が弱くなるのを抑制することができる。
【図面の簡単な説明】
【００１８】
【図１】図１Ａは実施形態に係るコネクタを構成する第１コネクタ部材と第２コネクタ部材の嵌合前の状態を示した一方から見た斜視図であり、図１Ａは他方から見た斜視図である。
【図２】実施形態に係るコネクタの分解斜視図である。
【図３】図３Ａは第１コネクタ部材の一方から見た斜視図であり、図３Ｂは他方から見た斜視図であり、図３Ｃは正面図である。
【図４】図４Ａは第２コネクタ部材の一方から見た斜視図であり、図４Ｂは他方から見た斜視図である。
【図５】図５Ａは第２コネクタ部材の平面図であり、図５Ｂは正面図であり、図５Ｃは底面図であり、図５Ｄは一方から見た側面図であり、図５Ｅは後面図である。
【図６】図６Ａはワイヤーを装着した状態の第２コンタクトの斜視図であり、図６Ｂは一方から見た側面図であり、図６Ｃは他方から見た側面図であり、図６Ｄは正面図である。
【図７】図７Ａは第２ハウジングの一方から見た斜視図であり、図７Ｂは他方から見た斜視図である。
【図８】図８Ａは第２ハウジングの平面図であり、図８Ｂは正面図であり、図８Ｃは底面図であり、図８Ｄは後面図であり、図８Ｅは一方から見た側面図である
【図９】図９Ａはスライド部材の一方から見た斜視図であり、図９Ｂは他方から見た斜視図である。
【図１０】図１０Ａはスライド部材の平面図であり、図１０Ｂは正面図であり、図１０Ｃは底面図であり、図１０Ｄは一方から見た側面図であり、図１０Ｅは後面図である。
【図１１】図１１Ａはリテーナの一方から見た斜視図であり、図１１Ｂは他方から見た斜視図である。
【図１２】図１ＡのXII−XII線での断面図である。
【図１３】図１３Ａは第１コネクタ部材と第２コネクタ部材の嵌合を説明する図１２に続く断面図であり、図１３Ｂは図１３Ａに対応する図１ＡのXIIIB-XIIIB線での断面図である。
【図１４】図１４Ａは第１コネクタ部材と第２コネクタ部材の嵌合を説明する図１３Ａに続く断面図であり、図１４Ｂは図１３Ｂに続く断面図である。
【図１５】図１５Ａは第１コネクタ部材と第２コネクタ部材の嵌合を説明する図１４Ａに続く断面図であり、図１５Ｂは図１４Ｂに続く断面図である。
【図１６】図１６Ａは第１コネクタ部材と第２コネクタ部材の嵌合を説明する図１５Ａに続く断面図であり、図１６Ｂは図１５Ｂに続く断面図である。
【図１７】第１コネクタ部材と第２コネクタ部材の取り外しを説明する図１２に対応する断面図である。
【発明を実施するための形態】
【００１９】
以下、図面を参照して本発明の実施形態を説明する。但し、以下に示す実施形態は、本発明の技術思想を具体化するためのコネクタ部材及びコネクタを例示するものであって、本発明をこれらに特定することを意図するものではなく、特許請求の範囲に含まれるその他の実施形態のものにも等しく適応し得るものである。
【００２０】
［実施形態］
図１〜図１７を参照して、本発明の実施形態に係るコネクタ１０について説明する。実施形態のコネクタ１０は、図１及び図２に示すように、第１コンタクト１４を有する第１コネクタ部材１２と、第１コンタクト１４と接触される第２コンタクト６０を有するコネクタ部材としての第２コネクタ部材５８とで構成され、第１コネクタ部材１２と第２コネクタ部材５８を嵌合させることで、第１コネクタ部材１２に設けられた第１コンタクト１４と第２コネクタ部材５８に設けられた第２コンタクト６０が接触され、電気的な接続が行われる。
【００２１】
また、実施形態の第２コネクタ部材５８には、弾性部材としてのコイル状のばね部材２２８と、このばね部材２２８の弾性力により移動されるスライド部材１６２が設けられている。そして、スライド部材１６２には、第１コネクタ部材１２に形成された係止突起３８と係止される係止部１９２が形成されており（図１２参照）、第１コネクタ部材１２が第２コネクタ部材５８に挿入された場合、第２コネクタ部材５８のスライド部材１６２が第１コネクタ部材１２に係止されることで第１コネクタ部材１２と第２コネクタ部材の嵌合が行われる構成となって（図１６参照）。
【００２２】
また、第１コネクタ部材１２に第２コネクタ部材５８のスライド部材１６２が係止されない場合は、ばね部材２２８によりスライド部材１６２が元の位置に押し戻されるため、第１コネクタ部材と第２コネクタ部材が嵌合されていないことが作業者にわかるようになるため、半嵌合状態を抑制することができるようになる。
【００２３】
まず、図３、図１２を参照して第１コネクタ部材１２について説明する。第１コネクタ部材１２は、少なくとも一本、実施形態では、２本の第１コンタクト１４と、第１コンタクト１４が内部に収容された第１ハウジング２０とで構成されている。
【００２４】
第１コンタクト１４は、第１コンタクト本体１６を有し、この第１コンタクト本体１６の一方に第２コネクタ部材５８が有する第２コンタクト６０と接触される第１接触部１８を有し、例えば、金属製の棒状体が屈曲加工等されることで形成されている。なお、第１コンタクト１４の他方は、図示省略されているが、例えば、基板等に接続される接続部や、ワイヤーと接続する構成とすることができる。
【００２５】
次に、図３、図１２を参照して第１ハウジング２０について説明する。第１ハウジング２０は、第２コネクタ部材５８が有する第２ハウジング１０２の一部が挿入される第１開口部２４が形成された第１前面２２と、第１前面２２と対向し、閉塞された第１後面２６と、外周を囲う第１上面２８、第１底面３０、一方の第１側面３２及び他方の第１側面３４とで構成され、所定の長さを有する筒状体であって、樹脂材料で一体に形成されている。
【００２６】
また、第１ハウジング２０の第１上面２８、第１底面３０、一方の第１側面３２及び他方の第１側面３４で囲まれた内部は、第１前面２２の第１開口部２４と連通される空間部３６が設けられており、この空間部３６には、第２ハウジング１０２が挿入されると共に、第１コンタクト１４の第１接触部１８が配置されるようになる。また第１ハウジング２０の外周には、第２コネクタ部材５８との嵌合方向に沿って、後述する複数のガイド部５０、５２、５４、５６が形成されている。この複数のガイド部５０、５２、５４、５６は、実施形態では、第１上面２８に２本、第１底面３０に２本、一方の第１側面３２及び他方の第１側面３４にそれぞれ１本ずつ形成されている。なお、第１ハウジング２０は、第１前面２２側が、第２コネクタ部材５８に挿入されるようになる。
【００２７】
第１ハウジング２０の第１前面２２には、第２ハウジング１０２が挿入される第１開口部２４が形成されている。また、第１前面２２の内周側には、傾斜状にテーパが形成されており、第２ハウジング１０２が挿入されやすくなるようにされている。また、第１前面２２の外周側には、第１ハウジング２０の外周側に形成された複数のガイド部５０、５２、５４、５６を構成する複数の突起が形成されている。
【００２８】
また、第１ハウジング２０の第１後面２６は、閉塞されて壁状となっている。なお、実施形態では、図示は省略されているが、この第１後面２６側から第１コンタクト１４の接続部や、第１コンタクト１４に装着されたワイヤー等が通る開口を形成するようにしてもよい。また、第１後面２６の外周側には、複数のガイド部５０、５２、５４、５６を構成する複数の突起が形成されている。
【００２９】
また、第１ハウジング２０の第１上面２８には、係止突起３８が形成されている。この係止突起３８は、後述する第２コネクタ部材５８のスライド部材１６２に形成された係止部１９２と係止される部分となる。係止突起３８は、第１ハウジング２０の第１上面２８の嵌合方向の軸線上であって、中央部に比べ第１前面２２側に形成されている。また、係止突起３８の第１前面２２側は、中央部分が凹んだ凹み部４０と、この凹み部４０の両側が第１前面２２側に突出された一対の突出部４２で構成され、平面視でコ字状に形成されている。この係止突起３８の一対の突出部４２は、嵌合方向側が鋭角になるような傾斜状に形成されている。また、係止突起３８の凹み部４０の奥側は、第１上面２８に対して略垂直から第１後面２６側にわずかに傾いた形状となっており、第２コネクタ部材５８のスライド部材１６２を押圧可能な形状で形成された押圧部４４となっている。
【００３０】
一方、係止突起３８の第１後面２６側は、スライド部材１６２の係止部１９２が係止される係止面４６となっており、係止面４６は、第１上面２８に対して略垂直から第１後面２６側にわずかに傾いた傾斜状に形成されている。この傾斜状に形成された係止面４６に係止部１９２が引っ掛かるようになる。
【００３１】
また、第１上面２８には、一方の第１側面３２側及び他方の第１側面３４側に上面ガイド部５０が嵌合方向に沿ってそれぞれ形成されている。この第１上面２８に形成された上面ガイド部５０は、第１上面２８に対して略垂直に突出して形成されている。
【００３２】
また、第１底面３０には、一方の第１側面３２側及び他方の第１側面３４側に底面ガイド部５６が嵌合方向に沿ってそれぞれ形成されている。この底面ガイド部５６は、第１底面３０から一方の第１側面３２側及び他方の第１側面３４側に傾斜して突出して形成されている。
【００３３】
また、一方の第１側面３２には、嵌合方向に沿って一方の側面ガイド部５２が嵌合方向に沿って形成されている。この一方の側面ガイド部５２は、一方の第１側面３２から略垂直方向に突出して形成されている。
【００３４】
さらに、他方の第１側面３４には、嵌合方向に沿って他方の側面ガイド部５４が嵌合方向に沿って形成されている。この他方の側面ガイド部５４は、他方の第１側面３４から第１底面３０側に傾斜して突出して形成されている。なお、上面ガイド部５０、底面ガイド部５６、一方の側面ガイド部５２及び他方の側面ガイド部５４をまとめて各ガイド部５０、５２、５４、５６という場合がある。
【００３５】
なお、第１底面３０、一方の第１側面３２及び他方の第１側面３４には、嵌合方向に沿って突出された押圧突起４８がそれぞれ形成されている。この押圧突起４８は、第２コネクタ部材５８と嵌合させる場合に、スライド部材１６２を押圧する部分の一部となる。
【００３６】
また、第１ハウジング２０の内部には、第１後面２６側から第１コンタクト１４の第１接触部１８が突出されており、挿入された第２コネクタ部材５８の第２コンタクト６０と接触されるようになる。なお、第１コンタクト１４の第１接触部１８が突出された部分は、一部が盛り上がるように形成されており、第１コンタクト１４が保持されるようになっている。
【００３７】
また、第１ハウジング２０の内部の空間部３６は、第２ハウジング１０２が挿入されると共に、第２ハウジング１０２の外周部に装着されたシール部材２４０が挿入され、空間部３６の内周側、すなわち、第１上面２８、第１底面３０、一方の第１側面３２及び他方の第１側面３４の内側に密着されるようになり、防水性を有するようになる。
【００３８】
なお、第１ハウジング２０と第１コンタクト１４は、モールド成形等により一体に形成してもよく、また、それぞれ別体で形成し、組み立てるようにしてもよい。
【００３９】
次に、図２、図４〜図１２を参照して、第２コネクタ部材５８について説明する。第２コネクタ部材５８は、図２、図４、図５、図１２に示すように、ワイヤー９８が装着された少なくとも一本、実施形態では、２本の第２コンタクト６０と、第２コンタクト６０が収容される第２ハウジング１０２と、第２ハウジング１０２に対して反復移動可能に取り付けられるスライド部材１６２と、第２ハウジング１０２とスライド部材１６２との間に設けられた少なくとも一つ、実施形態では、２つの弾性部材としてのコイル状のばね部材２２８とを有している。
【００４０】
また、第２コネクタ部材５８には、第２ハウジング１０２に取り付けられ、第２ハウジング１０２内の所定の位置に第２コンタクト６０を位置決め固定させるリテーナ２３０が設けられている。さらに、第２ハウジング１０２の第１ハウジング２０の空間部３６に挿入される部分に環状のシール部材２４０が取り付けられている。
【００４１】
まず、図２、図５、図６を参照して、第２コンタクト６０について説明する。なお、第２コンタクト６０は、実施形態では、２本の第２コンタクト６０が設けられているが、それぞれは共通するので、一本を代表して説明する。
【００４２】
第２コンタクト６０は、第２コンタクト本体６２と、この第２コンタクト本体６２の一方には、第１コンタクト１４の第１接触部１８が挿入される挿入口６４を有し、他方には、ワイヤー９８が装着されるワイヤー装着部９４を有し、金属製の板体を打ち抜き、折り曲げ加工等することで形成されている。また、第２コンタクト本体６２の内側には、第１コンタクト１４の第１接触部１８と接触される第２接触部７６が設けられている。
【００４３】
第２コンタクト本体６２は、一方に第１コンタクト１４の第１接触部１８が挿入される挿入口６４が形成され、上面部６６、底面部６８、一方の側面部７０及び他方の側面部７２で囲まれた筒状体で形成されている。
【００４４】
第２コンタクト本体６２の上面部６６には、略中央部分が外側に向かって突出した凸部７８が形成されている。この凸部７８は、第２ハウジング１０２に挿入される際に、第２ハウジング１０２のコンタクト挿入口１１２に形成された凹部１４２を通過させる部分となり、第２コンタクト６０の挿入がガイドされるようになる。また、第２コンタクト本体６２に凸部７８が形成されていることで、第２コンタクト６０が異なる向きで挿入されることを抑制することができるようになる。
【００４５】
また、第２コンタクト本体６２の上面部６６のワイヤー装着部９４側には後述するリテーナ２３０の固定突起２３６が嵌め込まれることにより位置決め固定される固定部８８が形成されている。
【００４６】
また、第２コンタクト６０の上面部６６の固定部８８側からは第２接触部７６が形成された接触片７４が第２コンタクト本体６２の内部に向かって延設されている。この接触片７４は上面部６６の固定部８８側を軸に弾性変形されるようになっている。一方、第２コンタクト６０の上面部６６の挿入口６４側の端部からは、延設された接触片７４の先端部分が保護される接触片保護部８４が第２コンタクト本体６２の内部に向かって延設されている。
【００４７】
また、接触片保護部８４の一方の側面部７０側には、一方の側面部７０に形成された孔部８２に嵌め込まれる突部８０が形成されている。この突部８０が孔部８２に嵌め込まれることで、接触片保護部８４が固定される。
【００４８】
なお、接触片７４の弾性変形される部分の底面部６８側に、第２接触部７６が突出して形成されており、この第２接触部７６と第１コンタクト１４の第１接触部１８が接触されるようになる。
【００４９】
第２コンタクト本体６２の底面部６８には、開口された嵌入口９２が形成されている。この嵌入口９２には、後述する第２ハウジング１０２の内部に形成されたコンタクト収容部１４０に設けられた爪状のランス１４４（図８Ｂ、図８Ｄ参照）が入り込むことで、第２コンタクト６０がコンタクト収容部１４０内に位置決め固定されるようになる。
【００５０】
また、第２コンタクト本体６２の底面部６８から内側に向かって一対の凹みが形成されており、この凹みが形成された部分の第２コンタクト本体６２の内部には、隆起された一対の隆起部９０が形成されるようになる。この隆起部９０は、第２接触部７６と対向する部分に形成されており、挿入された第１コンタクト１４が隆起部９０により第２接触部７６側に向かって押されるようになる。
【００５１】
また、第２コンタクト本体６２の一方の側面部７０には、上述した接触片保護部８４に形成された突部８０が嵌め込まれる孔部８２が形成されている。
【００５２】
また、ワイヤー装着部９４には、ワイヤー９８が装着される際に接続される複数の装着片９６を有している。そして、この装着片９６が折り曲げられることで、第２コンタクト６０にワイヤー９８が装着されるようになる。なお、装着片９６は、ワイヤーの導電性の電線部分に装着されるものと、電線が覆われている絶縁性の樹脂部分に装着されるものとがある。
【００５３】
また、実施形態では、ワイヤー装着部９４側のワイヤー９８に、例えば樹脂材料で形成されたシール部１００が設けられている。このシール部１００は、後述する第２ハウジング１０２に形成された第２コンタクト６０が挿入され、収容されるコンタクト収容部１４０に収容された際に、このコンタクト収容部１４０内に密着されることで、第２コンタクト６０を安定して収容させると共に、防水性を得るものである。なお、このシール部１００は、ワイヤーと一体に形成してもよく、また、別部材として形成し、組み立てるようにしてもよい。
【００５４】
次に、図２、図７、図８、図１２を参照して、第２ハウジング１０２について説明する。第２ハウジング１０２は、第１コネクタ部材１２の第１コンタクト１４が挿入される挿入開口１２６が形成された挿入部１２２が突出して形成された第２前面１０４と、第２前面１０４の反対側であって、第２コンタクト６０が挿入されるコンタクト挿入口１１２が形成された第２後面１１０と、第２上面１１４、第２底面１１６、一方の第２側面１１８及び他方の第２側面１２０とで構成されており、樹脂材料により一体に形成されている。
【００５５】
また、第２ハウジング１０２の内部には、各第２コンタクト６０が収容されるコンタクト収容部１４０が挿入部１２２に亘ってそれぞれ形成されており、挿入部１２２の先端側の前部１２４に形成された挿入開口１２６と、第２後面１１０に形成されたコンタクト挿入口１１２とが連通されるようになっている。
【００５６】
第２ハウジング１０２の第２前面１０４には、略中央部分から、第１コネクタ部材１２との嵌合方向に突出された挿入部１２２が形成されており、この挿入部１２２は、第１コネクタ部材１２と嵌合された場合に、第１ハウジング２０に形成された第１開口部２４から挿入され、内部の空間部３６に配置される部分となる。その際、第１コネクタ部材１２の第１コンタクト１４が第２前面１０４に形成された第１開口部２４から挿入され、コンタクト収容部１４０に収容された第２コンタクト６０と接触されるようになる。
【００５７】
また、挿入部１２２は、所定長さを有する略直方体状に形成され、前部１２４に第１コンタクト１４が挿入される挿入開口１２６が形成されている。また、挿入部１２２の外周は、上部１２８、底部１３２、一方の側部１３６及び他方の側部１３８で囲まれており、各角部は曲面状に形成されている。
【００５８】
また、挿入部１２２の底部１３２には、後述するリテーナ２３０が挿入されて装着されるリテーナ装着部１３４が形成されており、挿入部１２２の上部１２８には、装着されたリテーナ２３０の支持部２３８（図１１、図１２参照）の先端側が突出されるリテーナ突出口１３０が形成されている。
【００５９】
なお、挿入部１２２の第２前面１０４側の外周には、環状のシール部材２４０が装着されるようになる（図２、図１２参照）。
【００６０】
また、第２前面１０４には、第２上面１１４側であって、一方の第２側面１１８側及び他方の第２側面１２０側に突出された棒状の一対の一方のばね支持部１０６がそれぞれ形成されている。この一方のばね支持部１０６は、ばね部材２２８が装着される部分となる。なお、一方のばね支持部１０６の周囲の一部には、ばね部材２２８をガイドするばね部材ガイド部１０８がそれぞれ曲面状に形成されている。
【００６１】
第２ハウジング１０２の第２後面１１０には、第２コンタクト６０が挿入されるコンタクト挿入口１１２がそれぞれ形成されている。
【００６２】
また、第２後面１１０の外周側、すなわち、第２上面１１４側、第２底面１１６側、一方の第２側面１１８側及び他方の第２側面１２０側には、突出したフランジ部１５４が形成されている。このフランジ部１５４には、第１コネクタ部材１２と嵌合される場合に、後述するスライド部材１６２が当接又は近接される部分となる。
【００６３】
また、第２ハウジング１０２の第２上面１１４には、中央部分に第１前面２２側から切れ込まれた誘導溝部１４６が形成されている。この誘導溝部１４６は、スライド部材１６２に形成された可動片１８０をスライド部材１６２の移動に応じて変動させると共に、嵌入される部分となる。この誘導溝部１４６には、可動片１８０の先端部分が接触し、可動片１８０が押圧される押圧部４４と、押圧された可動片１８０がスライド部材１６２の移動と共に嵌り込む嵌入部１５０とを有している。
【００６４】
また、第２上面１１４には、一方の第２側面１１８側及び他方の第２側面１２０側にスライド部材１６２が係合されると共に、移動が案内される上面係合突起１５６がそれぞれ形成されている。
【００６５】
また、第２ハウジング１０２の第２底面１１６には、略中央部にスライド部材１６２が係合されると共に、移動が案内される底面係合突起１６０が形成されている。
【００６６】
また、一方の第２側面１１８及び他方の第２側面１２０には、スライド部材１６２の移動方向に沿ったガイド溝部１５２が第２前面１０４から第２後面１１０に亘ってそれぞれ形成されている。このガイド溝部１５２は、後述するスライド部材１６２に形成されたガイド突起２００を案内する部分となる。
【００６７】
さらに、一方の第２側面１１８及び他方の第２側面１２０には、スライド部材１６２が係合されると共に、移動が案内される側面係合突起１５８がそれぞれ形成されている。なお、上面係合突起１５６、底面係合突起１６０、及び各側面係合突起１５８をまとめて各係合突起１５６、１５８、１６０という場合がある。
【００６８】
また、第２ハウジング１０２の内部のコンタクト収容部１４０には、一部が凹んで形成された凹部１４２が形成されており、第２コンタクト６０の上面部６６に形成された凸部７８が挿通され、第２コンタクト６０の挿入をガイドすると共に、第２コンタクト６０が異なる向きで挿入されることを抑制することができるようになる。また、コンタクト収容部１４０には、第２コンタクト６０に形成された嵌入口９２が入り込む爪状のランス１４４（図８Ｂ、図８Ｄ参照）が形成されている。
【００６９】
なお、コンタクト収容部１４０の凹部１４２は、第２ハウジング１０２の第２底面１１６側に形成され、また、ランス１４４は、第２上面１１４側に形成されている。そのため、第２コンタクト６０は、上面部６６側を第２底面１１６側に向け、また、底面部６８側を第２上面１１４側に向けた状態、すなわち、図６で示した状態から反転させた状態で、第２ハウジング１０２のコンタクト収容部１４０に挿入されるようになる。
【００７０】
次に、図２、図９、図１０、図１２を参照して、スライド部材１６２について説明する。スライド部材１６２は、一方に、第２ハウジング１０２の挿入部１２２が配置されると共に、第１コネクタ部材１２の第１ハウジング２０が挿入される第２開口部１６６が形成された前面１６４と、第２ハウジング１０２が挿入されて装着される装着口１７０が形成された後面１６８と、上面１７２、底面１７４、一方の側面１７６及び他方の側面１７８で囲まれた筒状体であって、樹脂材料により一体に形成されている。また、スライド部材１６２の内部は、第２ハウジング１０２が設けられる空洞の収容部２０８となっている。
【００７１】
スライド部材１６２の前面１６４は、第２開口部１６６が形成されており、第２ハウジング１０２の挿入部１２２が配置されると共に、第１コネクタ部材１２の第１ハウジング２０が挿入される部分となる。
【００７２】
また、上面１７２側の第２開口部１６６には、可動片１８０が設けられており、可動片１８０が反復移動される可動溝２０２が形成されている。また、可動片１８０の前面１６４側は、第１コネクタ部材１２の第１ハウジング２０に形成された係止突起３８の凹み部４０の押圧部４４に押圧される被押圧部１８２が設けられている。
【００７３】
また、第２開口部１６６の上面１７２側であって、一方の側面１７６側及び他方の側面１７８側には、第１ハウジング２０に形成された上面ガイド部５０が挿通される上面ガイド溝２１０が設けられている。この上面ガイド溝２１０は、第２開口部１６６と可動片１８０との隙間で構成されており、第１ハウジング２０の上面ガイド部５０が第２開口部１６６と可動片１８０との間に挿通されるようになる。
【００７４】
また、スライド部材１６２の底面１７４側の第２開口部１６６には、第１ハウジング２０に形成された底面ガイド部５６が挿通される底面ガイド溝２１６がそれぞれ形成されている。この底面ガイド溝２１６は、底面ガイド部５６に対応するように、傾斜して形成されている。
【００７５】
また、スライド部材１６２の一方の側面１７６側の第２開口部１６６には、第１ハウジング２０に形成された他方の側面ガイド部５４が挿通される一方の側面ガイド溝２１２が形成されている。この一方の側面ガイド溝２１２は、他方の側面ガイド部５４に対応するように、傾斜して形成されている。
【００７６】
さらに、スライド部材１６２の他方の側面１７８側の第２開口部１６６には、第１ハウジング２０に形成された一方の側面ガイド部５２が挿通される他方の側面ガイド溝２１４が形成されている。この他方の側面ガイド溝２１４は、一方の側面ガイド部５２に対応するように、第１ハウジング２０の挿入方向に対して直交する向きに形成されている。なお、上面ガイド溝２１０、底面ガイド溝２１６、一方の側面ガイド溝２１２及び他方の側面ガイド溝２１４をまとめて各ガイド溝２１０、２１２、２１４、２１６という場合がある。
【００７７】
また、スライド部材１６２の前面１６４側は、所定の厚さを有するように形成されており、各ガイド溝２１０、２１２、２１４、２１６も、所定の長さに亘って形成されている。なお、第１ハウジング２０の各ガイド部５０、５２、５４、５６及びスライド部材１６２の各ガイド溝２１０、２１２、２１４、２１６の形状や向きを対応するように挿入させることで、第１コネクタ部材１２を正しい向きで挿入させることができる。
【００７８】
また、スライド部材１６２の前面１６４の内側には、上面１７２側であって、一方の側面１７６側及び他方の側面１７８側に突出された棒状の一対の他方のばね支持部１９６がそれぞれ形成されている。この他方のばね支持部１９６は、ばね部材２２８が装着される部分となり、第２ハウジング１０２に形成された一方のばね支持部１０６と対応する位置に形成されている。
【００７９】
また、スライド部材１６２の前面１６４の一方の側面１７６側及び他方の側面１７８側には、後述する第２ハウジング１０２に形成された各係合突起１５６、１５８、１６０のうち、側面係合突起１５８、底面係合突起１６０が案内される各係合溝部２１８、２２０を構成する溝がそれぞれ形成されている。
【００８０】
スライド部材１６２の後面１６８は、第２ハウジング１０２が挿入されるように大きく開放された装着口１７０が形成されている。
【００８１】
また、後面１６８の上面１７２側には、後面１６８側が広がるようなハの字状に開放され、可動片１８０が設けられるように切れ込み部２０４が形成されている。なお、可動片１８０の後面１６８側には、嵌入突部１８６が形成されている。
【００８２】
また、後面１６８の底面１７４側、一方の側面１７６側及び他方の側面１７８側には、傾斜された傾斜部２０６がそれぞれ形成されており、第２ハウジング１０２の第２底面１１６に形成された底面係合突起１６０及び側面係合突起１５８が挿入される部分となる。
【００８３】
さらに、後面１６８の一方の側面１７６側及び他方の側面１７８側には、第２ハウジング１０２の一方の第２側面１１８及び他方の第２側面１２０に形成されたガイド溝部１５２にガイドされるガイド突起２００を構成する突起が形成されている。
【００８４】
スライド部材１６２の上面１７２には、嵌合された第１コネクタ部材１２との係止及び係止解除が行われる可動片１８０が設けられている。
【００８５】
可動片１８０は、第１ハウジング２０の挿入方向に沿って設けられた板状体であって、この板状体の両辺の略中央部分の一部が軸部１８４として上面１７２と繋がれている。そして、可動片１８０は、この軸部１８４を軸に回転移動可能とされている。
【００８６】
また、可動片１８０の前面１６４側には、第１ハウジング２０に形成された係止突起３８の押圧部４４に押圧される被押圧部１８２が形成されている。この被押圧部１８２は、第１ハウジング２０の係止突起３８の凹み部４０に嵌入されるように一部が狭くなるように形成され、第１ハウジング２０の係止突起３８の凹み部４０の奥側の押圧部４４に押圧されるようになる。
【００８７】
また、可動片１８０の前面１６４側の被押圧部１８２の両端は、傾斜して形成されている。さらに、可動片１８０の前面１６４側であって、底面１７４側には、鉤状の係止部１９２が形成されている。この係止部１９２は、第１ハウジング２０に形成された係止突起３８の傾斜された係止面４６と係止されるように、傾斜した形状となっており、係止が外れ難くい構成となっている。
【００８８】
可動片１８０の後面１６８側には、第２ハウジング１０２の誘導溝部１４６の嵌入部１５０に嵌まり込む嵌入突部１８６が形成されている。この嵌入突部１８６は、上面１７２側が傾斜したテーパ部１８８を有しており、誘導溝部１４６に形成された押圧突部１４８に押圧されたのち、嵌入部１５０に誘導されるようになる。
【００８９】
また、可動片１８０の上面１７２側には、第１ハウジング２０の係止突起３８と係止された可動片１８０の係止を解除するための操作部１９０が形成されている。この操作部１９０を下方に押圧することで、可動片１８０が軸部１８４を軸に回転移動され、係止突起３８の係止面４６に係止された係止部１９２が移動し、係止が解除されるようになる。
【００９０】
また、可動片１８０の上面１７２側は、覆い部１９４により覆われている。この覆い部１９４は、可動片１８０を保護すると共に、上面１７２の強度を確保するためのものとなる。
【００９１】
なお、上面１７２の内側には、上面係合突起１５６が係合される上面係合部２２２が形成されている（図１３Ｂ参照）。
【００９２】
スライド部材１６２の底面１７４には、第２ハウジング１０２の第２底面１１６に形成された底面係合突起１６０が係合されると共に、第２ハウジング１０２の移動がガイドされる底面係合溝部２２０が形成されている。
【００９３】
この底面係合溝部２２０は、スライド部材１６２の底面１７４側に形成された傾斜部２０６と対応する位置に形成されている。また、底面係合溝部２２０と傾斜部２０６との間は、底面係合突起１６０が係合される底面係合部２２６となっており、第２ハウジング１０２の底面係合突起１６０が係合される部分となる。
【００９４】
また、底面１７４には、リテーナ２３０が挿通されるリテーナ挿通孔１９８が形成されている。このリテーナ挿通孔１９８は、底面係合溝部２２０と繋がって形成されており、第２ハウジング１０２の底面係合突起１６０が移動される部分ともなる。
【００９５】
スライド部材１６２の一方の側面１７６及び他方の側面１７８には、第２ハウジング１０２の一方の第２側面１１８及び他方の第２側面１２０に形成された各側面係合突起１５８が係合されると共に、第２ハウジング１０２の移動がガイドされる側面係合溝部２１８がそれぞれ形成されている。
【００９６】
この底面係合溝部２２０は、スライド部材１６２の一方の側面１７６側及び他方の側面１７８側に形成された各傾斜部２０６と対応する位置に形成されている。また、側面係合溝部２１８と傾斜部２０６との間は、側面係合突起１５８が係合される側面係合部２２４となっており、第２ハウジング１０２の側面係合突起１５８がそれぞれ係合される部分となる。なお、底面係合溝部２２０及び各側面係合溝部２１８をまとめて各係合溝部２１８、２２０という場合がある。また、上面係合部２２２、側面係合部２２４、底面係合部２２６をまとめて各係合部２２２、２２４、２２６という場合がある。
【００９７】
また、一方の側面１７６及び他方の側面１７８の各内側には、第２ハウジング１０２が挿入される方向に沿って突出されたガイド突起２００がそれぞれ形成されている。
【００９８】
次に、図１１、図１２を参照してリテーナ２３０について説明する。リテーナ２３０は、第２ハウジング１０２に収容された第２コンタクト６０を位置決め固定させるものであり、所定の厚さを有する直方体状のリテーナ本体部２３２と、リテーナ本体部２３２の第２ハウジング１０２へ挿入される側に突出して形成された固定突起２３６と、固定突起２３６の略中央部分からさらに延設された支持部２３８とで構成され、第２ハウジング１０２のリテーナ装着部１３４に挿入されて装着され、第２コンタクト６０をコンタクト収容部１４０内に位置決め固定させるものである。
【００９９】
また、リテーナ本体部２３２には、両辺側に第２ハウジング１０２に取り付けられる取付部２３４が楔状に形成されている。
【０１００】
また、固定突起２３６は、第２ハウジング１０２のコンタクト収容部１４０に収容された状態の第２コンタクト６０の固定部８８に嵌合されることで、第２コンタクト６０をコンタクト収容部１４０内に位置決め固定されるようになる。
【０１０１】
支持部２３８は、固定突起２３６からさらに延設された柱状体であって、第２ハウジング１０２に挿入されることで、２つの第２コンタクト６０を区分して接触を抑制し、また、第２ハウジング１０２のリテーナ突出口１３０から突出させることで、リテーナ２３０が支持され、移動してしまうことを抑制することができる。
【０１０２】
また、弾性部材としてのばね部材２２８は、所定長さを有するコイル状のばね体であり、第２ハウジング１０２の一方のばね支持部１０６とスライド部材１６２の他方のばね支持部１９６との間にそれぞれ設けられるようになる。
【０１０３】
シール部材２４０は、図２、図１２に示すように、ゴム等の弾性力を有する樹脂材料により環状に形成されており、第２ハウジング１０２の挿入部の第２前面側の外周に取り付けられるようになる。そして、シール部材２４０は、第１コネクタ部材１２と第２コネクタ部材５８が嵌合された場合、第１ハウジング２０の空間部３６の内側と密着されることで、防水機能を有するようになる。
【０１０４】
次に、主に図２、図４、図５、図１２を参照して、第２コネクタ部材５８の組み立てについて説明する。第２コネクタ部材５８の組み立ては、まず、第２ハウジング１０２にスライド部材１６２を取り付ける。この取り付けは、スライド部材１６２の後面１６８の装着口１７０から第２ハウジング１０２の第２前面１０４側を先にして挿入させる。このとき、第２ハウジング１０２の挿入部１２２の第２前面１０４側にシール部材２４０を装着させ、また、第２ハウジング１０２の第２前面１０４に形成された一方のばね支持部１０６と、スライド部材１６２の前面１６４の内側に形成された他方のばね支持部１９６との間にばね部材２２８を取り付けて行われる。
【０１０５】
まず、第２ハウジング１０２の挿入部１２２を先にしてスライド部材１６２の装着口１７０から挿入されると、第２ハウジング１０２の、側面係合突起１５８、底面係合突起１６０がスライド部材１６２の後面１６８側に当接されるようになる。このとき、側面係合突起１５８、底面係合突起１６０は、スライド部材１６２の後面１６８に形成された傾斜部２０６に対応する位置に配置される。そして、第２ハウジング１０２をスライド部材１６２にさらに挿入させると、第２ハウジング１０２の、側面係合突起１５８、底面係合突起１６０が、傾斜部２０６に沿って移動し、乗り越えることで、スライド部材１６２の各係合溝部２１８、２２０に嵌まり込むようになる。
【０１０６】
また、第２ハウジング１０２とスライド部材１６２の挿入に応じてばね部材２２８が圧縮され、弾性力を得た状態で配置されるようになり、第２ハウジング１０２とスライド部材１６２は離れる方向に押圧されるようになる。このとき、第２ハウジング１０２の各係合突起１５６、１５８、１６０がスライド部材１６２の後面１６８側の各係合部２２２、２２４、２２６に係合されるようになり、第２ハウジング１０２とスライド部材１６２が一時固定されるようになる。
【０１０７】
また、第２ハウジング１０２の挿入部１２２は、スライド部材１６２の第２開口部１６６に挿入され、前面１６４からわずかに突出した位置に配置されるようになる。このとき、スライド部材１６２の第２開口部１６６と、第２ハウジング１０２の挿入部１２２との間には、挿入部１２２を囲うように隙間が設けられ、この隙間に、第１コネクタ部材１２の第１ハウジング２０が挿入されるようになる。
【０１０８】
その後、第２ハウジング１０２の第２後面１１０に形成されたコンタクト挿入口１１２からワイヤー９８を装着させた第２コンタクト６０の挿入口６４を先にして挿入させ、コンタクト収容部１４０に収容させる。このとき、第２コンタクト６０は、上面部６６を下側にし、底面部６８を上側にして挿入させる。また、第２コンタクト６０の上面部６６に形成された凸部７８がコンタクト収容部１４０に形成された凹部１４２を挿通されることで、第２コンタクト６０を正しい向きで挿入させることができるようになる。
【０１０９】
また、第２コンタクト６０がコンタクト収容部１４０に収容されたとき、第２コンタクト６０の底面部６８に形成された嵌入口９２にコンタクト収容部１４０に形成されたランス１４４が嵌入されるようになる。
【０１１０】
そして、スライド部材１６２の底面１７４のリテーナ挿通孔１９８を挿通させ、第２ハウジング１０２の挿入部１２２の底部１３２に形成されたリテーナ装着部１３４へ挿入させて、挿入部１２２に装着させる。このとき、第２コンタクト６０の固定部８８にリテーナ２３０の固定突起２３６が嵌合され、第２コンタクト６０が位置決め固定され、また、リテーナ２３０の取付部２３４が挿入部１２２内に取り付けられると共に、支持部２３８が挿入部１２２の上部１２８のリテーナ突出口１３０から突出されることで、リテーナ２３０の移動が抑制された状態で取り付けられるようになる。
【０１１１】
以上で、第２コネクタ部材５８の組み立てが完了する。なお、第２コンタクト６０は、第２ハウジング１０２をスライド部材１６２に取り付ける前に装着させるようにしてもよい。
【０１１２】
次に、主に図１、図１２〜図１６を参照して、第１コネクタ部材１２と第２コネクタ部材５８の嵌合について説明する。第１コネクタ部材１２と第２コネクタ部材５８の嵌合は、図１、図１２に示すように配置した状態から、第２コネクタ部材５８のスライド部材１６２の前面１６４側に第１コネクタ部材１２の第１ハウジング２０の第１前面２２側を挿入させる。
【０１１３】
このとき、第１ハウジング２０の外周に形成された各ガイド部５０、５２、５４、５６がスライド部材１６２の第２開口部１６６に形成された各ガイド溝２１０、２１２、２１４、２１６に挿入されるようになり、また、第２ハウジング１０２の挿入部１２２が第１ハウジング２０の第１開口部２４に挿入されるようになる。
【０１１４】
その後、第１コネクタ部材１２を挿入させると、図１３に示すように、第１ハウジング２０の第１上面２８に形成された係止突起３８の押圧部４４とスライド部材１６２の可動片１８０の被押圧部１８２が当接されるようになる。可動片１８０の被押圧部１８２は、係止突起３８の一対の突出部４２の間から凹み部４０に入り込み、凹み部４０の奥側の押圧部４４に当接されるようになる。また、第１ハウジング２０の外周に形成された押圧突起４８の第１前面２２側が、スライド部材１６２の前面１６４側に当接されるようになる。
【０１１５】
そして、第１コネクタ部材１２をさらに挿入させると、第１ハウジング２０の押圧部４４にスライド部材１６２の被押圧部１８２が押圧され、また、第１ハウジング２０の各押圧突起４８にスライド部材１６２の前面１６４が押圧されることで、第１ハウジング２０と共にスライド部材１６２が第２ハウジング１０２に向かって移動されるようになる。このとき、第２ハウジング１０２に形成された側面係合突起１５８、底面係合突起１６０がスライド部材１６２に形成された各係合溝部２１８、２２０に沿って移動されると共に、第２ハウジング１０２に形成されたガイド溝部１５２にスライド部材１６２に形成された各ガイド突起２００がガイドされながら移動されるようになる。
【０１１６】
また、第１コネクタ部材１２が第２コネクタ部材５８に挿入されることで、第１ハウジング２０の移動に応じて第２ハウジング１０２とスライド部材１６２の間に設けられたばね部材２２８が圧縮されるようになる。
【０１１７】
さらに、第１コネクタ部材１２の第１ハウジング２０の空間部３６に突出された第１コンタクト１４の第１接触部１８が、第２ハウジング１０２の挿入部１２２の前部１２４に形成された挿入開口１２６から挿入されるようになる。
【０１１８】
この状態からさらに第１コネクタ部材１２を挿入させると、図１４に示すように、スライド部材１６２の可動片１８０の後面１６８側の嵌入突部１８６が、第２ハウジング１０２の誘導溝部１４６の押圧突部１４８に当接されるようになる。
【０１１９】
そして、可動片１８０の嵌入突部１８６と誘導溝部１４６の押圧突部１４８が当接した状態で、第１コネクタ部材１２をさらに挿入すると、図１５に示すように、押圧突部１４８に押圧された嵌入突部１８６が、嵌入突部１８６に形成されたテーパ部１８８の傾斜に沿って嵌入部１５０側に向かうように移動される。
【０１２０】
このとき可動片１８０は、上面１７２の軸部１８４を軸に回転されて移動される。この状態から第１コネクタ部材１２をさらに挿入させることで、可動片１８０の嵌入突部１８６が誘導溝部１４６の嵌入部１５０にさらに入り込み、可動片１８０の嵌入突部１８６とは反対側の被押圧部１８２が、嵌入突部１８６とは反対方向、すなわち、第１ハウジング２０から離れる方向に回転移動されるようになる。そのため、可動片１８０の被押圧部１８２が第１ハウジング２０の押圧部４４から離れるようになる。  
【０１２１】
そして、可動片１８０の被押圧部１８２が係止突起３８の押圧部４４から離れることで、図１６に示すように、スライド部材１６２は、ばね部材２２８の弾性力により第２ハウジング１０２とは反対方向に移動されるようになる。このとき、スライド部材１６２の前面１６４を押圧していた第１ハウジング２０の押圧突起４８は、可動片１８０の被押圧部１８２への押圧が離れ、わずかな隙間ができることで、スライド部材１６２の前面１６４が押圧突起４８からも離れるようになり、スライド部材１６２が移動可能となる。なお、押圧突起４８の押圧する側及びスライド部材１６２の前面１６４が傾斜状にされていることで、スライド部材１６２が離れやすくすることができる。また、係止突起３８の突出部４２が傾斜状に形成されていることで、可動片１８０が係止突起３８を越えて円滑に移動させることができる。
【０１２２】
その後、ばね部材２２８の弾性力により移動されたスライド部材１６２は、可動片１８０が係止突起３８を越えた位置で軸部１８４を軸に反対方向に回転して元の位置に戻り、第１ハウジング２０の第１上面２８上に配置されるようになる。そして、可動片１８０の係止部１９２と、係止突起３８の係止面４６が当接されて係止されるようになる。
【０１２３】
なお、第１コネクタ部材１２の第１コンタクト１４の第１接触部１８は、第２ハウジング１０２の挿入部１２２内のコンタクト収容部１４０に収容された第２コンタクト６０の第２接触部７６と接触され、導通されるようになる。この接触は、第２ハウジング１０２の挿入部１２２の前部１２４に形成された挿入開口１２６から挿入された第１コンタクト１４の第１接触部１８がさらに挿入されることで、挿入開口１２６と連通されたコンタクト収容部１４０に収容された第２コンタクト６０の挿入口６４から、第２コンタクト６０の内部に挿入され、第２コンタクト本体６２の内部に設けられた接触片７４に形成された第２接触部７６と接触されるようになる。このとき接触片７４が弾性変形されることで、第１接触部１８と第２接触部７６とが高い接圧により接触されるようになる。
【０１２４】
また、第１ハウジング２０の空間部３６に第２ハウジング１０２の挿入部１２２が挿入されることで、挿入部１２２に装着されたシール部材２４０が、空間部３６の内周に密着されるようになる。以上で、第１コネクタ部材１２と第２コネクタ部材５８の嵌合が完了する。
【０１２５】
また、第１コネクタ部材１２と第２コネクタ部材５８の取り外しは、図１７に示すように、可動片１８０の操作部１９０を下方に押圧することで、可動片１８０が軸部１８４を軸に回転し、第１ハウジング２０の係止突起３８の係止面４６に係止された係止部１９２が上方に移動され、係止が解除される。そして、係止が解除された第１コネクタ部材１２を第２コネクタ部材５８から引き抜くことで、第１コネクタ部材１２と第２コネクタ部材５８を取り外すことができる。
【符号の説明】
【０１２６】
１０：コネクタ  １２：第１コネクタ部材  １４：第１コンタクト  １６：第１コンタクト本体  １８：第１接触部  ２０：第１ハウジング  ２２：第１前面  ２４：第１開口部  ２６：第１後面  ２８：第１上面  ３０：第１底面  ３２：一方の第１側面  ３４：他方の第１側面  ３６：空間部  ３８：係止突起  ４０；凹み部  ４２：突出部  ４４：押圧部  ４６：係止面  ４８：押圧突起  ５０：上面ガイド部  ５２：一方の側面ガイド部  ５４：他方の側面ガイド部  ５６：底面ガイド部  ５８：第２コネクタ部材  ６０：第２コンタクト  ６２：第２コンタクト本体  ６４：挿入口  ６６：上面部  ６８：底面部  ７０：一方の側面部  ７２：他方の側面部  ７４：接触片  ７６：第２接触部  ７８：凸部  ８０：突部  ８２：孔部  ８４：接触片保護部  ８８：固定部  ９０：隆起部  ９２：嵌入口  ９４：ワイヤー装着部  ９６：装着片  ９８：ワイヤー  １００：シール部  １０２：第２ハウジング  １０４：第２前面  １０６:一方の支持部  １０８：ばね部材ガイド部  １１０：第２後面  １１２：コンタクト挿入口  １１４：第２上面  １１６：第２底面  １１８：一方の第２側面  １２０：他方の第２側面  １２２：挿入部  １２４：前部  １２６：挿入開口  １２８：上部  １３０：リテーナ突出口  １３２：底部  １３４：リテーナ装着部  １３６：一方の側部  １３８：他方の側部  １４０：コンタクト収容部  １４２：凹部  １４４：ランス  １４６：誘導溝部  １４８：押圧突部  １５０：嵌入部  １５２：ガイド溝部  １５４：フランジ部  １５６：上面係合突起  １５８：側面係合突起  １６０：底面係合突起  １６２：スライド部材  １６４：前面  １６６：第２開口部  １６８：後面  １７０：装着口１７２：上面  １７４：底面  １７６：一方の側面  １７８：他方の側面  １８０：可動片  １８２：被押圧部  １８４：軸部  １８６：嵌入突部  １８８：テーパ部  １９０：操作部  １９２：係止部  １９４:覆い部  １９６：他方のばね支持部  １９８：リテーナ挿通孔  ２００：ガイド突起  ２０２：可動溝  ２０４：切れ込み部  ２０６：傾斜部  ２０８：収容部  ２１０：上面ガイド溝  ２１２：一方の側面ガイド溝  ２１４：他方の側面ガイド溝  ２１６：底面ガイド溝  ２１８：側面係合溝部  ２２０：底面係合溝部  ２２２：上面係合部  ２２４：側面係合部  ２２６：底面係合部  ２２８：ばね部材  ２３０：リテーナ  ２３２：リテーナ本体部  ２３４：取付部  ２３６：固定突起  ２３８：支持部  ２４０：シール部材  
【図１】
2018022664.tif 000003
【図２】
2018022664.tif 000004
【図３】
2018022664.tif 000005
【図４】
2018022664.tif 000006
【図５】
2018022664.tif 000007
【図６】
2018022664.tif 000008
【図７】
2018022664.tif 000009
【図８】
2018022664.tif 000010
【図９】
2018022664.tif 000011
【図１０】
2018022664.tif 000012
【図１１】
2018022664.tif 000013
【図１２】
2018022664.tif 000014
【図１３】
2018022664.tif 000015
【図１４】
2018022664.tif 000016
【図１５】
2018022664.tif 000017
【図１６】
2018022664.tif 000018
【図１７】
2018022664.tif 000019